(57)【要約】【課題】  撮像装置本体の小型化や回路基板の集積化が進み、本体が落下しやすくなったり、ぶつけたりして強い衝撃が加わりやすくなってきている。そのため記録媒体が破壊され、大事な記録情報が失われる可能性があった。【解決手段】  本発明の撮像装置は、カメラユニットと、前記カメラユニットで撮影された画像を信号処理する信号処理回路基板と、前記画像を記録する記録媒体とを有し、前記記録媒体は、前記カメラユニットと信号処理回路基板の間に配置され、さらに前記カメラユニットまたは信号処理回路基板の投影面積内に収納された位置に配設されていることを特徴としている。【選択図】  図１０
2009147724.tif 000002
【特許請求の範囲】
【請求項１】
カメラユニットと、前記カメラユニットで撮影された画像を信号処理する信号処理回路基板と、前記画像を記録する記録媒体とを有する撮像装置であって、
前記記録媒体は、前記カメラユニットと信号処理回路基板の間に配置され、さらに前記カメラユニットまたは信号処理回路基板の投影面積内に収まる位置に配置されていることを特徴とする撮像装置。
【請求項２】
カメラユニットと、前記カメラユニットで撮影された画像を信号処理する信号処理回路基板と、前記画像を記録する記録媒体とを有する撮像装置であって、
前記記録媒体は、前記カメラユニットと信号処理回路基板の間に配置され、さらに前記カメラユニット及び信号処理回路基板の投影面積内に収まる位置に配置されていることを特徴とする撮像装置。
【請求項３】
前記信号処理回路基板の面の長手方向と記録媒体の平面の長手方向は、カメラユニットの光軸と平行に配置されていることを特徴とする請求項１、２に記載の撮像装置。
【請求項４】
前記信号処理回路基板の面と記録媒体の平面は、表示部の表示面と直交に配置されていることを特徴とする請求項１、２に記載の撮像装置。
【発明の詳細な説明】
【技術分野】
【０００１】
本発明は小型記録媒体を持つ撮像装置に関するものである。
【背景技術】
【０００２】
近年、ビデオカメラを始めとする撮影機能を持った撮像装置には、超小型記録媒体として超小型ハードディスクや不揮発性メモリを記録媒体として用いられているものが存在している。従来のテープ記録式や、光学ディスク記録式に比べて、前述のような超小型記録媒体は、撮影機能付き撮像装置を小型に構成することを可能にしている。
【０００３】
また、小型の記録媒体を保護する従来技術として、特許文献１の情報処理装置が提案されている。この従来技術による情報処理装置は、回路基板と回路基板の間に、脱着可能なディスク状記録媒体を配設することで、記録媒体を保護している。
【特許文献１】特開２００６−８０９８７
【発明の開示】
【発明が解決しようとする課題】
【０００４】
しかしながら、撮像装置自体が小型化することによって、取り扱いが極めて容易となっている。見方を変えるならば、これは、不注意で装置を落下させてしまったり、通常の使用状況でも装置を壁にぶつけたりする等、強い衝撃が加わり易いことを意味している。従って、このような強い衝撃が加わらないような手段を講じなければ、記録媒体が破壊され、撮像装置の信頼性が損なわれるという問題が生じる。撮影機能付き撮像装置において、記録媒体に保存された記録情報は掛け替えの無いものである。仮に撮像装置本体が破損したとしても、製品本体は再購入が可能だが、記録された情報は購入することが出来ない。記録情報の破損は是が非でも避けなければならない事態であり、その他の構成要素の犠牲をもってしてでも守られなければならない要素と言える。
【０００５】
また、特許文献１に関しては、製品本体の小型化、回路基板の集積化が進むと、回路基板の小型化及び枚数削減が進み、回路基板と回路基板の間に記録媒体を配設することが難しくなっていることが課題として挙げられる。
【０００６】
上記のような課題を鑑み本発明は、小型化した本体に於いても、記録媒体を衝撃から守り、信頼性の高い撮像装置を提供することを目的とする。
【課題を解決するための手段】
【０００７】
上記の目的を達成するために、本発明の撮像装置は、カメラユニットと、前記カメラユニットで撮影された画像を信号処理する信号処理回路基板と、前記画像を記録する記録媒体とを有し、前記記録媒体は、前記カメラユニットと信号処理回路基板の間に配置され、さらに前記カメラユニットまたは信号処理回路基板の投影面積内に収納された位置に配設されていることを特徴としている。
【０００８】
また、本発明の他の特徴とするところは、カメラユニットと、前記カメラユニットで撮影された画像を信号処理する信号処理回路基板と、前記画像を記録する記録媒体とを有し、前記記録媒体は、前記カメラユニットと信号処理回路基板の間に配置され、さらに前記カメラユニット及び信号処理回路基板の投影面積内に収納された位置に配設されていることを特徴としている。
【０００９】
更に、前記信号処理回路基板の面の長手方向と記録媒体の平面の長手方向は、カメラユニットの光軸と平行に配置されていることを特徴としている。
【００１０】
更に、前記信号処理回路基板の面と記録媒体の平面は、表示部の表示面と直交に配置されていることを特徴としている。
【発明の効果】
【００１１】
以上説明したように、本発明によれば、記録媒体をカメラユニットと信号処理回路基板の投影面積内に納めることで、衝撃等を受けても記録媒体への衝撃が直接的にかからず保護される。
【発明を実施するための最良の形態】
【００１２】
以下、本発明を実施するための形態に関して説明する。
【実施例１】
【００１３】
図１に本実施例におけるデジタルビデオカメラ１０１の斜視図を示す。本実施例における上下左右前後の表現は、図１に示す通りで仮に定義する。
【００１４】
また、図２はデジタルビデオカメラ１０１の内部構成ブロック図を示す図である。デジタルビデオカメラ１０１は撮像レンズと撮像素子からなるカメラユニット１０２を持つ。カメラユニット１０２は撮影した画像情報を信号処理回路基板１０３に出力する。前記画像情報は信号処理回路基板１０３からメモリ基板１０４に出力され、メモリ基板１０４の記録媒体に記録される。メモリ基板１０４は不揮発性メモリと駆動回路からなる記録媒体である。また、デジタルビデオカメラ１０１は表示部１０５を持っている。信号処理回路基板１０３から出力された画像情報を表示する表示部１０５は、例えば液晶パネルや有機ＥＬ素子などを使ったものでよい。表示部１０５は撮影中の画像及びメモリ基板１０４の記録媒体に記録された画像情報を表示することが可能である。また、デジタルビデオカメラ１０１は一般的な撮像装置と同様に操作部１０６及び電源部１０７を持つ。
【００１５】
図３にはデジタルビデオカメラ１０１のカメラユニット１０２及び信号処理回路基板１０３、メモリ基板１０４周辺を可視化した斜視図を示す。デジタルビデオカメラ１０１内の上記ユニット・基板の構成は図に示す通りとなっている。これらの構成がどのように接続されているのか、詳細を図４〜図８にて説明する。
【００１６】
図４にデジタルビデオカメラ１０１の内部のユニットや基板を保持固定するホルダー部材２０１を示す。ホルダー部材２０１は、カメラユニット１０２、メモリ基板１０４、信号処理回路基板１０３を取り付けるための構造が付与された金属部材である。図５にはメモリ基板１０４の単体斜視図を示す。メモリ基板は不揮発性メモリ素子２０２及びドライバＩＣ２０３が実装されている。メモリ基板１０４とホルダー部材２０１は、図６に示すような構成で、ビス２０４にて締結される。次に図７に示す通り、このメモリ基板１０４をホルダー部材２０１に取り付けた構成に、信号処理回路基板１０３をビス２０５で締結する。信号処理回路基板１０３とメモリ基板１０４はフレキシブル基板２０６によって、信号的な接続がなされる。更に図７に示す構成にカメラユニット１０２を結合すると図８に示す状態になる。そして、カメラユニット１０２と信号処理回路基板１０３はフレキシブル基板２０７によって、信号的な接続がなされる。
【００１７】
次に図９〜図１１を用いて、本実施例におけるカメラユニット１０２、メモリ基板１０４、信号処理回路基板１０３の位置関係を詳説する。
【００１８】
図９にはデジタルビデオカメラ１０１を前側から投影した概略図を示す。デジタルビデオカメラ１０１の外装１０８は、ホルダー部材２０１と図示しないビス等で締結されている。外装１０８は、本体を小型化するため、図のようにカメラユニット１０２や信号処理回路基板と近接している。従って、後述のような衝撃が外装１０８に加わると、内部のホルダー部材２０１及びカメラユニット１０２や信号処理回路基板１０３に衝撃が加わる。また、図示されてないが、表示部１０５は外装１０８の側面側に配置されている。そしてその表示面は、長手方向が互いに平行に配置されている信号処理回路基板１０３の面とメモリ基板１０４の平面とに直交するように配置されている。また、信号処理回路基板１０３の面とメモリ基板１０４の面の長手方向はカメラユニット１０２の光軸とも平行に配置されている。
【００１９】
図１０にはデジタルビデオカメラ１０１を左右方向に投影した概略図を示す。図１０に示す通り、メモリ基板１０４は本体の前後方向において、カメラユニット１０２と信号処理回路基板１０３の投影面積内に収まっている。従って、本体前方からの衝撃（矢印３０１方向）が加わった場合、メモリ基板１０４よりも先にカメラユニット１０２が衝撃を受けるため、メモリ基板１０４は保護される。同様に本体後方からの衝撃（矢印３０２方向）が加わった場合は、信号処理回路基板１０３が先に衝撃を受けるため、メモリ基板１０４は保護される。本体上方からの衝撃（矢印３０３方向）が加わった場合は、カメラユニット１０２が先に衝撃を受け、同様に本体下方からの衝撃（矢印３０４方向）は信号処理回路基板１０３が先に衝撃を受ける。
【００２０】
また、図１１にはデジタルビデオカメラ１０１を上下方向に投影した概略図を示す。図１１に示す通り、メモリ基板１０４は本体の左右方向に於いてもカメラユニット１０２と信号処理回路基板１０３の投影面積内に収まっている。従って、本体右方向からの衝撃（矢印３０５方向）が加わった場合、メモリ基板１０４よりも先に信号処理回路基板１０３が衝撃を受けるため、メモリ基板１０４は保護される。同様に、本体左方向からの衝撃（矢印３０６方向）が加わった場合、メモリ基板１０４よりも先に信号処理回路基板１０３が衝撃を受けるため、メモリ基板１０４は保護される。
【００２１】
以上説明した通り、本実施例におけるデジタルビデオカメラ１０１は前後左右上下どの方向からの衝撃に対しても、メモリ基板１０４よりも先にカメラユニット１０２または信号処理回路基板１０３が衝撃を受けるため、メモリ基板１０４は保護される構成になっている。
【００２２】
本実施例に於いては、記録媒体としてメモリ基板１０４を用いて説明したが、本発明が適用可能な実施形態はこの限りではない。記録媒体としてハードディスクでも置き換え可能であることは言うまでも無い。
【図面の簡単な説明】
【００２３】
【図１】デジタルビデオカメラ１０１の斜視図
【図２】デジタルビデオカメラ１０１の内部構成ブロック図
【図３】デジタルビデオカメラ１０１を可視化した斜視図
【図４】ホルダー部材２０１の斜視図
【図５】メモリ基板１０４の単体斜視図
【図６】メモリ基板１０４とホルダー部材２０１を締結した図
【図７】図６の構成に信号処理回路基板１０３を締結した図
【図８】図７の構成にカメラユニット１０２を結合させた図
【図９】デジタルビデオカメラ１０１を前側から投影した概略図
【図１０】デジタルビデオカメラ１０１を左右方向に投影した概略図
【図１１】デジタルビデオカメラ１０１を上下方向に投影した概略図
【符号の説明】
【００２４】
１０１  デジタルビデオカメラ
１０２  カメラユニット
１０３  信号処理回路基板
１０４  メモリ基板
１０５  表示部
１０６  操作部
１０７  電源部
１０８  外装
２０１  ホルダー部材
２０２  不揮発性メモリ素子
２０３  ドライバＩＣ
２０４  ビス
２０５  ビス
２０６  フレキシブル基板
２０７  フレキシブル基板
【図１】
2009147724.tif 000003
【図２】
2009147724.tif 000004
【図３】
2009147724.tif 000005
【図４】
2009147724.tif 000006
【図５】
2009147724.tif 000007
【図６】
2009147724.tif 000008
【図７】
2009147724.tif 000009
【図８】
2009147724.tif 000010
【図９】
2009147724.tif 000011
【図１０】
2009147724.tif 000012
【図１１】
2009147724.tif 000013